(57)【要約】      （修正有）【課題】構造を簡素化し、マッサージ操作をスムーズにする腹部健康用振動式マッサージ装置を提供する。【解決手段】腹部健康用振動式マッサージ装置は、支持体６と、支持体６に内設し、使用者Ｐが引っ張り伸ばし、支持体６の後段部にある弾性装置６１と、収縮、延伸の往復運動及び定軸回転を行わせる軸棒７と、軸棒７末端にソフトパッドを嵌設した腹部パッド座８とによりなる。腹部パッド座８は内部を中空とする外殻型であり、後段部をその座体上面の軸棒の予め残した棒端部分に軸着定位させ、非対称の偏心状動作体９を腹部パッド座８内部に設ける。軸棒７が定軸回転するのと同時に、末端の動作体９が連続的に回転するため、軸棒７に偏心スイング動作である振動現象が発生し、腹部パッド座８を振動させる。【選択図】図４
0003182259.tif 000002
【実用新案登録請求の範囲】
【請求項１】
手で掴むための支持体と、
ねじ山を備え、前記支持体に対してスライド往復運動を行う軸棒と、
前記スライド往復運動に伴い弾性運動を行う弾性装置と、
前記軸棒に螺着する螺着ガイド体と、
前記軸棒の端部に設けられ、ソフトパッドを具備する腹部パッド座と、
前記軸棒の末端に設けられ、前記腹部パッド座の内部に配置された非対称の偏心状動作体と、
を備え、
前記腹部パッド座は内部を中空とする外殻型であり、前記軸棒の予め残した棒端部分に軸着定位させ、前記軸棒が前記支持体に対してスライド往復運動し回転すると同時に、前記動作体が連続的に偏心スイング動作を行うことにより、前記腹部パッド座を連動させることを特徴とする腹部健康用振動式マッサージ装置。
【考案の詳細な説明】
【技術分野】
【０００１】
本考案の腹部健康用振動式マッサージ装置は、腹部健康器の支持体内部に設置し、収縮、延伸の往復が可能であり、定軸回転をする軸棒を備える。前記軸棒を腹部パッド座から延伸する末端に軸着して定位させ、非対称形態の偏心状の動作体を螺着固定し、腹部パッド座の空心内部において下方が中空となる形態とする。これにより、前記動作体は軸棒に従って軸回転し、偏心回転を続け、さらに連動される腹部パッド座は無抵抗力の振動式同時マッサージ作動を起こす。よって、本考案は、腹部健康器構造を簡素化し、マッサージ操作をスムーズにする技術分野に関する。
【背景技術】
【０００２】
腹部健康器とその他の腹部マッサージ器、振動装置の主な差異は、次の点にある。即ち、使用者が本体を手に持って前後往復の伸び運動を行う時、本体内部に設置し往復に延伸、収縮する軸棒と軸棒末端を使用者の腹部に密着させた腹部パッドによって実施し、定軸回転可能に設計された軸棒を用いて、腹部パッドを連動させて回転幅を限定する連動操作をして、使用者の肢体運動を行うのと同時に、腹部パッドに接触する腹部箇所が揉まれるため、脂肪を落とし、マッサージする効果を実現する。
【０００３】
初期における腹部健康器の腹部パッドの同時マッサージ構造は主に、図１及び図１Ａに示すとおりである。本体２内に嵌設した定軸回転する軸棒２１の末端を底側に突出部３１を配置した上部盤３に連結し、使用者の腹部に密着させ、尚且つ上側に溝部４１を設置した腹部パッド４を上下同軸に嵌着する。操作時は、軸棒２１によって上部盤３が回転し、腹部パッド４は使用者の腹部を圧しているため動けず、上部盤３は突出部３１によって強行回転し、腹部パッド４上の溝部４１を通過した時に弾み上がる現象が発生し、腹部パッド４の振動が起き、使用者の腹部との接触位置をマッサージする。
【０００４】
しかし、実際には、突出部３１が直接、溝部４１内に落ちてしまい、相互に摩擦力と直接的な過大抵抗力を生じさせるため、腹部健康器を使用する際のスタート操作において、上段部の軸棒２１が引っ掛かりを起こし、回転できずに本体２内に収縮する状況が発生し易く、使用に不都合な構造である。
【０００５】
よって、腹部健康器には、図２に示すような構造が出現した。即ち、軸棒２１の末端部と腹部パッド４との間に、偏心状の連接体５を連結し、軸棒２１が回転すると、同時に連接体５も回転し、さらに連接体５の偏心端によって腹部パッド４も回転し、偏心回転するマッサージ操作目的を果たす。また、図3の特許文献１で開示された特許出願案の軸棒２１の末端部には偏心軸体２１１を直接延伸させ、腹部パッド４上面の中段部に軸着する。これにより、軸棒２１が回転すると同時に腹部パッド４を偏心回転して、マッサージ操作を行う目的を達成する。
【０００６】
図２及び図３に示した構造は図1の構造と比べ偏心軸を回転させる方式に差異があり、側面方向に分離する抵抗力下降効果が若干生じるが、実際には腹部パッド４を使用者の腹部に密着させた時に比較的大きい始動抵抗力が生じる。よって、腹部健康器の始動操作において、底部の腹部パッド４箇所が引っ掛かるために、上段部の軸棒２１が回転できずに本体２に収縮する状況が起き、実際の使用と予期していたマッサージ効果とには大きな落差が見られる。
【先行技術文献】
【特許文献】
【０００７】
【特許文献１】中華民国特許公告M419583号公報
【考案の概要】
【考案が解決しようとする課題】
【０００８】
そこで、本考案では、腹部パッドと身体が接触する際の抵抗力を排除し、使用者が腹部健康器の操作時に、腹部健康器自体がマッサージ作用を生じさせる積極的な装置であり、前述した先行技術の欠点を十分に克服し得る振動式マッサージ装置を提供する。
【０００９】
本考案の次の目的は、腹部健康器の振動マッサージ装置を提供することにある。そのうち、軸棒末端に螺着固定する非対称形の偏心状動作体が達成する振動マッサージ効果は、特に構造の簡素化及び製造コストの削減、故障を低下させる多種実益を備えることを特徴とする。
【課題を解決するための手段】
【００１０】
本考案は、腹部健康器の振動マッサージ装置であり、そのうち、腹部健康器の支持体内部には、収縮、延伸往復可能で、尚且つ定軸回転をする軸棒を設置する。前記軸棒は腹部パッド座の延伸する末端に軸着して定位させ、螺着固定させる非対称形の偏心状の動作体は、腹部パッド座の空心内部において下方が中空となるようにする。これにより、軸棒に従って定軸回転し偏心回転を続ける動作体は、側面接触または押圧等の始動抵抗力の全くない状況のもと、簡単に尚且つ力を使わずに腹部パッド座を連動して効果的な振動を起こし、腹部パッド座のマッサージ動作を実現し、腹部健康運動及びマッサージ操作をスムーズに行う実用効果を備えることを特徴とする。
【考案の効果】
【００１１】
本考案の腹部健康用振動式マッサージ装置は、簡単に尚且つ力を使わずに腹部パッド座を連動して効果的な振動を起こし、腹部パッド座のマッサージ動作を実現し、腹部健康運動及びマッサージ操作をスムーズに行う実用効果を備え、構造の簡素化及び製造コストの削減、故障を低下させる多種実益を備える。
【図面の簡単な説明】
【００１２】
【図１】公知の腹部健康器マッサージ装置（1）の立体図である。
【図１Ａ】図1の作用図である。
【図２】公知の腹部健康器マッサージ装置（2）の立体図である。
【図３】公知の特許文献１の腹部健康器マッサージ装置の断面作用図である。
【図４】本考案の腹部健康用振動式マッサージ装置の立体分解図である。
【図５】本考案の腹部健康用振動式マッサージ装置の立体組立及び使用参考図である。
【図５Ａ】図５の別の面の参考図である。
【図５Ｂ】図５の立体半断面使用参考図（1）である。
【図５Ｃ】図５の立体半断面使用参考図（2）である。
【図５Ｄ】本考案の腹部健康用振動式マッサージ装置の振動作用図である。
【図６】本考案の腹部健康用振動式マッサージ装置の使用図である。
【考案を実施するための形態】
【００１３】
図４、図５、図５Ａ〜５Ｄ、図６に示すとおり、本考案の腹部健康用振動式マッサージ装置は、主に、使用者が手で掴むための支持体６と、支持体６に内設するねじ山を備えた軸棒７と、人体の腹に押し当てる腹部パッド座８と、回転動作する動作体９と、により構成される。以下、各部の詳細を説明する。
【００１４】
支持体６は、弾性装置６１、螺着ガイド体６２、フック部６３、一対の滑車６４と、筒体６５と、ケース６６と、固定部６７と、を備えている。支持体６の中央部には細長い中空状部６Aが形成され、後部中央部に開口部６Ｂが形成されている。支持体６の左右には一対の把持部６ａ，６ｂと、二対の開口部６ｃ，６ｄ，６ｅ，６ｆが形成される。以下に詳細を説明する。
【００１５】
弾性装置６１は、弾性ケーブルであり、フック部６３と螺着ガイド体６２とに係合し、筒体６５に弾性作用を及ぼす。弾性装置６１は、支持体６の側辺に設置する。弾性装置６１は、筒体６５と交差して設置する。弾性装置６１が変形を開始していない状態では、弾性装置６１の中段が真直ぐに伸び、弾性装置６１はフック部６３の内側に掛けて設置される。その前端に設置するフック部６３に弾性装置６１中段のケーブル体が掛けられており、上記した設置において、図５、図５Ｂに示す通り、筒体６５が前へ押されると、弾性装置６１を引き伸ばし、変形と回復張力を形成する。
【００１６】
螺着ガイド体６２は、支持体６の前部に設置され、雌ねじが内設され、軸棒7のねじ山と螺合する。
【００１７】
フック部６３は弾性装置６１を掛けるものである。支持体６中段の中空状部６A内側に、末端が腹部パッド座８に固定される筒体６５を設置し、この筒体６５内段の最前端に弾性装置６１のケーブル体を掛けるフック部６３を設置し、弾性装置６１は変形と回復張力を形成する。筒体６５前段のフック部６３前端は、開放状の前向きのフック開口で、弾性装置６１が水平状に支えられる時とほぼ同じ高さの位置に設置する。
【００１８】
滑車６４は一対形成され、出入口６Ｂの内側付近に設置され、弾性装置６１を掛けるものである。
【００１９】
筒体６５は支持体６の軸方向に沿って摺動し、中空状部６Aに進入し、或いは退出する。筒体６５の末端に腹部パッド座８が形成される。筒体６５の下面外側にはキーが軸方向に形成され、出入口６Bの内側面にキー溝が形成され、キーを規制し、筒体６５を軸方向に誘導するようになっている。
【００２０】
ケース６６は、螺着ガイド体６２を支持体６の内部に収容し、固定するものである。
【００２１】
固定部６７は、弾性装置６１の両端部を固定して挟持するものである。
【００２２】
軸棒７は弾性装置６１及び螺着ガイド体６２に係合させて設置し、筒体６５内に挿通され、後端部が腹部パッド座８に固定される。また、使用者Ｐは手で支持体６を掴み引っ張り伸ばし（図６参照）、支持体６の後段部に弾性を備えて、収縮、延伸の往復運動及び定軸回転を行う。
【００２３】
軸棒７の末端には末端面にソフトパッド８１を嵌設した腹部パッド座８を定位軸着する。軸棒７の後端部が筒体６５の後部内側に形成されるベアリングで回転自在に支持されている。軸棒は筒体６５と一体的に移動する。
【００２４】
腹部パッド座８は内部を中空とする外殻型であり、筒体６５の後端部を軸着し、軸棒７の後端部を回転自在に軸着し、後部が中空となる形態を形成する。
【００２５】
動作体９は軸棒７の後端部に固定され、腹部パッド座８の前部に形成された回転空間９１内で回転できるようになっている。非対称の偏心状の動作体９を腹部パッド座８内部に回転自在に配置する。動作体９の外形形状は扇型である。
【００２６】
上述した構造に基づき、使用者Ｐが自身の腹部に腹部パッド座８を押し当てた状態で支持体６の把持部６ａ，６ｂを持ち、腹部パッド座８で腹部を押し、力を入れて、弾性装置６１の弾性力に抗して支持体６を使用者Ｐ自身に近づけると、筒体６５は前方へと推進し、軸棒７が回転しながら推進し、フック部６３により弾性装置６１ケーブル体中段を挟持して帯同し、弾性装置６１が伸びて変形する。こうして、対抗する張力を生じる。使用者Ｐが力を解き放つと、弾性装置６１の回復張力により、筒体６５を後方へと押して後退移動させ、軸棒７が回転しながら後退後退させ、腹筋運動の使用効果を達成する。このように軸棒７が支持体６に対して相対的にスライド往復動しつつ定軸回転すると同時に、末端の動作体９が連続的に回転するため、軸棒７に偏心スイング動作である回転式振動現象が発生し、腹部パッド座８を連動させる（図５Ｄ参照）。
【００２７】
前述した現象によって、腹部健康器の操作と腹部無抵抗力マッサージを同時に行い、簡単、便利な操作効果を達成する。
【００２８】
前述したとおり、本考案は腹部健康器を操作する際、回転させられる軸棒７によって、動作体７を振動させることで、腹部パッド座８自体に振動を生じさせ、積極的なマッサージを行う健康器の便利性及び実用効果を高めるものである。よって、本考案は実用性の向上という要件に符合することが明らかに理解される。
【産業上の利用可能性】
【００２９】
構造を簡素化し、マッサージ操作をスムーズにする腹部健康用振動式マッサージ装置を提供する。
【符号の説明】
【００３０】
２    本体
２１    軸棒
２１１    偏心軸体
３    上部盤
３１    突出部
４    腹部パッド
４１    溝部
５    連接体
６    支持体
６Ａ    中空状部
６Ｂ    開口部
６ａ，６ｂ    把持部
６ｃ，６ｄ，６ｅ，６ｄ    開口部
６１    弾性装置
６２    螺着ガイド体
６３    フック部
６４    滑車
６５    筒体
６６    ケース
６７    固定部
７      軸棒
８    腹部パッド座
８１    ソフトパッド
９    動作体
９１    回転空間
Ｐ    使用者
【図１】
0003182259.tif 000003
【図１Ａ】
0003182259.tif 000004
【図２】
0003182259.tif 000005
【図３】
0003182259.tif 000006
【図４】
0003182259.tif 000007
【図５】
0003182259.tif 000008
【図５Ａ】
0003182259.tif 000009
【図５Ｂ】
0003182259.tif 000010
【図５Ｃ】
0003182259.tif 000011
【図５Ｄ】
0003182259.tif 000012
【図６】
0003182259.tif 000013
【手続補正書】
【提出日】平成25年1月1日(2013.1.1)
【手続補正１】
【補正対象書類名】明細書
【補正対象項目名】００２６
【補正方法】変更
【補正の内容】
【００２６】
上述した構造に基づき、使用者Ｐが自身の腹部に腹部パッド座８を押し当てた状態で支持体６の把持部６ａ，６ｂを持ち、腹部パッド座８で腹部を押し、力を入れて、弾性装置６１の弾性力に抗して支持体６を使用者Ｐ自身に近づけると、筒体６５は前方へと推進し、軸棒７が回転しながら推進し、フック部６３により弾性装置６１ケーブル体中段を挟持して帯同し、弾性装置６１が伸びて変形する。こうして、対抗する張力を生じる。使用者Ｐが力を解き放つと、弾性装置６１の回復張力により、筒体６５を後方へと押して後退移動させ、軸棒７が回転しながら後退させ、腹筋運動の使用効果を達成する。このように軸棒７が支持体６に対して相対的に軸方向に往復動しつつ定軸回転すると同時に、末端の動作体９が連続的に回転するため、軸棒７に偏心スイング動作である回転式振動現象が発生し、腹部パッド座８を連動させる（図５Ｄ参照）。
【手続補正２】
【補正対象書類名】実用新案登録請求の範囲
【補正対象項目名】全文
【補正方法】変更
【補正の内容】
【実用新案登録請求の範囲】
【請求項１】
手で掴むための支持体と、
ねじ山を備え、前記支持体に対して軸方向に往復運動を行う軸棒と、
前記軸方向の往復運動に伴い弾性運動を行う弾性装置と、
前記軸棒に螺着する螺着ガイド体と、
前記軸棒の端部に設けられ、ソフトパッドを具備する腹部パッド座と、
前記軸棒の末端に設けられ、前記腹部パッド座の内部に配置された非対称の偏心状動作体と、
を備え、
前記腹部パッド座は内部を中空とする外殻型であり、前記軸棒の予め残した棒端部分に軸着定位させ、前記軸棒が前記支持体に対して軸方向に往復運動し回転すると同時に、前記動作体が連続的に偏心スイング動作を行うことにより、前記腹部パッド座を連動させることを特徴とする腹部健康用振動式マッサージ装置。